(57)【要約】【課題】犬舎用扉において、従来のような檻というイメージから脱却し、外観上において意匠的価値感を高めることを可能とする。【解決手段】枠３内に複数のバー４を格子状に編組して成る扉体１の一部に化粧板７を設ける。すなわち、扉体１の一部のバー４を切除して開口部５を形成し、該開口部５を閉塞するよう、無色もしくは有色の透明部分または半透明部分、あるいは施色したデザイン部分の少なくともいずれか一つを形成して成る化粧板７を備える。化粧板７は、扉体１の開口部５縁部に突設したネジ突部６に挿通する孔部１２を有し、該ネジ突部６に対する袋ナット部材１３のねじ込みによって当該化粧板７を扉体１に締着固定できるようにする。【選択図】図１
0003118659.tif 000002
【実用新案登録請求の範囲】
【請求項１】
枠内に複数のバーを格子状に編組して成る扉体の一部に化粧板を設けたことを特徴とする犬舎用扉。
【請求項２】
枠内に複数のバーを格子状に編組して成る扉体の一部のバーを切除して開口部を形成し、該開口部を閉塞するよう、無色もしくは有色の透明部分または半透明部分、あるいは施色されたデザイン部分の少なくともいずれか一つを形成して成る化粧板を設けたことを特徴とする請求項１記載の犬舎用扉。
【請求項３】
化粧板は、扉体の開口部縁部に突設したネジ突部に挿通される孔部を有し、該ネジ突部に対する袋ナット部材のねじ込みによって当該化粧板が扉体に締着固定されるものとした請求項１記載の犬舎用扉。
【請求項４】
化粧板は、表面に塗装仕上げによるデザイン部分を有するステンレス製板材による矩形板面部と、該矩形板面部に穿孔形成された円形・楕円形・長円形・矩形・三角形・多角形・菱形のいずれかによる窓部に透明部分または半透明部分を形成するようアクリル樹脂板を嵌設して成る請求項１または２記載の犬舎用扉。
【請求項５】
前記矩形板面部には、ペット形態の一部を象った透明部分または半透明部分を形成するようアクリル樹脂板を嵌設して成るデザイン用小窓部を有する請求項１乃至３のいずれか記載の犬舎用扉。
【考案の詳細な説明】
【技術分野】
【０００１】
本考案は、多数本のステンレス製等のバーを格子状に編組して成る犬舎用扉の改良に関する。
【背景技術】
【０００２】
従来、この種の犬舎用扉としては、本出願人自身によって考案された特許文献１に開示されているように、正面にステンレス製の矩形フレームを設けた犬舎本体の当該矩形フレームの開口部に、多数本のステンレス製のバーを縦格子状に編組して成る扉を開閉自在に枢支し、扉の開閉先端側に施錠金具のロック機構を備えた技術が存在する。
【特許文献１】実用新案登録第３０７６１９３号公報
【考案の開示】
【考案が解決しようとする課題】
【０００３】
しかしながら、従来においては、扉自体が多数本のステンレス製のバーを縦格子状に編組して成るため、いかにも檻のイメージから抜け難く、看た感じが殺風景としか言い様がない上に、デザイン的にも劣るものとなるため、扉体自体に何らかの改良が必要とされるものであった。
【０００４】
そこで、本考案は、叙上のような従来存した諸事情に鑑み案出されたもので、従来のような檻というイメージから脱却し、外観上において意匠的価値感を高めることを可能とした犬舎用扉を提供することを目的とする。
【課題を解決するための手段】
【０００５】
上述した課題を解決するため、本考案にあっては、枠内に複数のバーを格子状に編組して成る扉体の一部に化粧板を設けたことを特徴とする。
【０００６】
また、本考案にあっては、枠内に複数のバーを格子状に編組して成る扉体の一部のバーを切除して開口部を形成し、該開口部を閉塞するよう、無色もしくは有色の透明部分または半透明部分、あるいは施色されたデザイン部分の少なくともいずれか一つを形成して成る化粧板を設けたことを特徴とする。
【０００７】
化粧板は、扉体の開口部縁部に突設したネジ突部に挿通される孔部を有し、該ネジ突部に対する袋ナット部材のねじ込みによって当該化粧板が扉体に締着固定されるものとした。
【０００８】
化粧板は、表面に塗装仕上げによるデザイン部分を有するステンレス製板材による矩形板面部と、該矩形板面部に穿孔形成された円形・楕円形・長円形・矩形・三角形・多角形・菱形のいずれかによる窓部に透明部分または半透明部分を形成するようアクリル樹脂板を嵌設して成る。
【０００９】
前記矩形板面部には、ペット形態の一部を象った透明部分または半透明部分を形成するようアクリル樹脂板を嵌設して成るデザイン用小窓部を有する。
【考案の効果】
【００１０】
以上のように、本考案によれば、従来のような檻というイメージから脱却し、外観上において意匠的価値感を高めることを可能とする。さらに詳細に説明すると、例えば透明部分または半透明部分を形成するようアクリル樹脂板を嵌設して成る化粧板の窓部およびデザイン用小窓部等を有する化粧板を扉体の一部に設けたので、扉体が閉塞した状態であっても犬舎本体内にいるペットを外部から観察することができ、これによって従来のような犬舎本体の檻というイメージから容易に脱却させることができると同時に外観上における意匠的価値感を従来の檻型の扉体に比して極めて向上したものとすることができる。
【００１１】
また、化粧板は、扉体の開口部縁部に突設したネジ突部に挿通される孔部を有し、該ネジ突部に対する袋ナット部材のねじ込みによって当該化粧板が扉体に締着固定されるものとしたので、扉体に対して種々のイメージ感の異なる化粧板に容易に交換することができる。
【００１２】
化粧板は、表面に塗装仕上げによるデザイン部分を有するステンレス製板材による矩形板面部と、該矩形板面部の中央に穿孔形成された円形・楕円形・長円形・矩形・三角形・多角形・菱形のいずれかによる窓部に透明部分または半透明部分を形成するようアクリル樹脂板を嵌設して成るので、従来の犬舎本体における檻というイメージから容易に脱却させることができ、しかも円形・楕円形・長円形・矩形・三角形・多角形・菱形のいずれかによる窓部を通して犬舎本体内のペットが覗き込むような感を呈し、これによって扉体のデザイン性を高めることができる。
【００１３】
前記矩形板面部には、ペット形態の一部を象った透明部分または半透明部分を形成するようアクリル樹脂板を嵌設して成るデザイン用小窓部を有するので、扉体全体のデザイン性をさらに高めることができる。
【考案を実施するための最良の形態】
【００１４】
以下、図面を参照して本考案を実施するための最良の一形態を説明する。図において示される符号１は、多数本のステンレス製のバーを縦格子状に編組して成る扉体であり、該扉体１は、図４に示すように、正面にステンレス製の矩形フレームＰを設けた犬舎本体の当該矩形フレームＰの開口部に、当該扉体１の支持端側に配したＬ字棒状の蝶番部２を介して開閉自在に枢支され、且つ開閉先端側に施錠金具のロック機構Ｑを備えている。
【００１５】
この扉体１は、枠３内に複数のバー４を格子状に編組し、その一部に化粧板７を設けたものである。例えば、図１乃至図３に示すように、矩形状に組まれたステンレス製の枠３内にステンレス製の複数のバー４を縦格子状に編組し、このうち中央部分にある一部のバー４を切除することで略矩形状となる開口部５を形成すると共に、該開口部５の左右両縁部における上段、中段、下段それぞれにはベース板を介してネジ突部６が突設してある。
【００１６】
そして、無色もしくは有色の透明部分または半透明部分、あるいは施色されたデザイン部分の少なくともいずれか一つを形成して成る化粧板７がこの開口部５を閉塞するようにして取り付けられるものとしてある。尚、半透明部分とは、光の完全透過ではなく、光の一部を透過させ、他の一部を吸収する部分であることを意味する。
【００１７】
すなわち、この化粧板７は、扉体１の開口部５に対応して略矩形状のステンレス製板材による矩形板面部８によって形成され、該矩形板面部８の中央には楕円形を呈する窓部９が穿孔形成されている。尚、この窓部９は、楕円形とする以外に、例えば円形・長円形・矩形・三角形・多角形・菱形等のいずれかであっても良い。
【００１８】
そして、矩形板面部８の表面には各種色の塗装仕上げによるデザイン部分（１０）を有し、また窓部９には無色もしくは有色の透明部分または半透明部分を形成するよう例えば透明性に優れ且つ耐候性・耐油性を有するアクリル樹脂板１１を嵌設してある。
【００１９】
また、化粧板７の左右両縁部における上段、中段、下段それぞれには、扉体１の開口部５縁部に突設した前記ネジ突部６を挿通させるよう孔部１２が穿設されており、該ネジ突部６を化粧板７の孔部１２に挿通させ、該孔部１２から外側に突出したネジ突部６に袋ナット部材１３をねじ込むようにしてある。これによって扉体１の開口部５を閉塞させた状態となるようにして化粧板７自体が扉体１に締着固定されるものとしてある。
【００２０】
さらに、矩形板面部８には、ペット形態の一部、例えば犬の脚裏を象ったデザイン用小窓部１０を形成し、ここに無色もしくは有色の透明部分または半透明部分が形成されるようアクリル樹脂板１１を嵌設してある。尚、このデザイン用小窓部１０は、ここにアクリル樹脂板１１を取り付けずに開放したままの状態であっても良い。
【００２１】
次に、以上のように構成された最良の形態についての使用、組立の一例について説明する。
図１に示すように、化粧板７は、扉体１の開口部５縁部に突設したネジ突部６を当該化粧板７の孔部１２に挿通させ、該孔部１２から外側に突出したネジ突部６に袋ナット部材１３をねじ込むことで扉体１に締着固定され、該扉体１の開口部５が閉塞される。
【００２２】
また、扉体１が閉塞されロック機構Ｑによってロックされた状態において、無色もしくは有色の透明部分または半透明部分を形成して成る窓部９を通して犬舎本体内にいるペットを外部から観察することができ、これによって従来のような檻のイメージを解消させるものとなる。
【００２３】
また、化粧板７を他の形態のものに交換する場合には、ネジ突部６から袋ナット部材１３を取り外してから化粧板７を交換すれば良い。
【図面の簡単な説明】
【００２４】
【図１】本考案を実施するための最良の形態における化粧板を扉体の開口部に取り付ける状態を示す斜視図である。
【図２】同じく扉体に化粧板を取り付けた状態を示し、（ａ）は正面図、（ｂ）は平面図、（ｃ）は下面図である。
【図３】同じく扉体に化粧板を取り付けた状態を示し、（ａ）は背面図、（ｂ）は図２（ａ）中のＸ−Ｘ断面図、（ｃ）は右側面図、（ｄ）は左側面図である。
【図４】同じく扉体を犬舎本体の矩形フレームの開口部に取り付けた状態の正面図である。
【符号の説明】
【００２５】
Ｐ    矩形フレーム
Ｑ    ロック機構
１    扉体
２    蝶番部
３    枠
４    バー
５    開口部
６    ネジ突部
７    化粧板
８    矩形板面部
９    窓部
１０  デザイン用小窓部
１１  アクリル樹脂板
１２  孔部
１３  袋ナット部材
【図１】
0003118659.tif 000003
【図２】
0003118659.tif 000004
【図３】
0003118659.tif 000005
【図４】
0003118659.tif 000006